(57)【要約】【課題】  枚葉紙の長さが長い場合でも短い場合でもその紙尻を確実にガイドすることができて紙尻の衝突音や傷の発生を防止できる枚葉印刷機の給紙装置を提供する。【解決手段】  給紙胴５の下方に固定配置されて給紙胴５に渡された枚葉紙３の紙尻３ａがその自重により下方に垂れ下がることを防止する固定ガイド７と、給紙板１から離れた枚葉紙３の紙尻３ａを下方からガイドするための紙尻ガイドとを備え、該紙尻ガイドは、スイング６が給紙板１に接近したときにグリッパ６３と固定ガイド７との間において紙尻３ａをガイドする第１のガイド部６７１と、スイング６が給紙板１から離れたときにグリッパ６３と給紙板１との間において紙尻３ａをガイドする第２のガイド部６８１とを有している。【選択図】  図５
2006290472.tif 000002
【特許請求の範囲】
【請求項１】
長さの異なる複数種類の枚葉紙が印刷可能な枚葉印刷機の給紙装置であって、印刷機の胴に向けて枚葉紙を搬送するための給紙板と、該給紙板上を搬送されてきた枚葉紙の前端部を掴むグリッパを有し、その往復動により枚葉紙を一枚ずつ前記胴に渡す紙渡し部と、前記胴の下方に固定配置されて胴に渡された枚葉紙の紙尻がその自重により下方に垂れ下がることを防止する固定ガイドとを備えた枚葉印刷機の給紙装置において、
給紙板から離れた枚葉紙の紙尻を下方からガイドするための紙尻ガイドを備え、該紙尻ガイドは、紙渡し部が給紙板に接近したときにグリッパと固定ガイドとの間において紙尻をガイドする第１のガイド部と、紙渡し部が給紙板から離れたときにグリッパと給紙板との間において紙尻をガイドする第２のガイド部とを有していることを特徴とする枚葉印刷機の給紙装置。
【請求項２】
紙尻ガイドは紙渡し部に設けられて紙渡し部と共に往復動する請求項１記載の枚葉印刷機の給紙装置。
【請求項３】
第１のガイド部は、固定ガイドとは胴の軸線方向に位置ずれするようにして紙渡し部から前方に向けて延設されて、紙渡し部が給紙板に接近したときに、胴の軸線方向に見て固定ガイドの後端部の直上に位置する部分を有している請求項２記載の枚葉印刷機の給紙装置。
【請求項４】
第２のガイド部は、紙渡し部が給紙板から最も離れた位置にあるときに給紙板からグリッパまでの略全長において紙尻をガイドできるように、紙渡し部から後方に向けて延設されている請求項２記載の枚葉印刷機の給紙装置。
【発明の詳細な説明】
【技術分野】
【０００１】
本発明は、長さの異なる複数種類の枚葉紙が印刷可能な枚葉印刷機における給紙装置に関する。
【背景技術】
【０００２】
従来、この種の枚葉印刷機における給紙装置として本出願人は既に図６乃至図７に概略を示しているようなものを提案している（下記特許文献１）。該給紙装置は、図６に示すように、給紙胴１００に向けて枚葉紙２００を一枚ずつ搬送するための給紙板を構成する口板１０１と、軸１０２を中心に前後に揺動することによって給紙板で搬送されてきた枚葉紙２００をグリッパ１０３で掴むと共にその枚葉紙２００を給紙胴１００のグリッパ１０４に渡す紙渡し部としてのスイング１０５と、給紙胴１００に渡された枚葉紙２００の紙尻２００ａがその自重により下方に垂れ下がることを防止するために給紙胴１００の下方に固定配置された固定ガイド１０６とを備えている。尚、給紙板によって搬送されてきた枚葉紙２００は図示省略の前当てによって前後方向の見当合わせが行われる。また、符号１１０は圧胴である。
【０００３】
そして、スイング１０５の前側には枚葉紙２００の紙尻２００ａを下方からガイドするための紙尻ガイド１０７が設けられている。該紙尻ガイド１０７は、スイング１０５が図６に示すようにそのグリッパ１０３で枚葉紙２００の前端部を掴む位置に来たときに、口板１０１から前方に離れた枚葉紙２００の紙尻２００ａをガイドするように構成されている。このように枚葉紙２００の紙尻２００ａが紙尻ガイド１０７でガイドされることにより、枚葉紙２００の紙尻２００ａが固定ガイド１０６の後端部１０６ａに接触することが防止され、その接触による枚葉紙２００の傷や音の発生を防止することができる。
【特許文献１】特許第３２２４７１４号公報
【発明の開示】
【発明が解決しようとする課題】
【０００４】
しかしながら、一つの枚葉印刷機で印刷できる枚葉紙２００の長さには種々あって、例えば長さの比較的短い枚葉紙２００を使用した場合には、図７に示すように、枚葉紙２００の紙尻２００ａが口板１０１から離れる際に、スイング１０５は前方に揺動した位置にあり、従って、紙尻ガイド１０７で紙尻２００ａをガイドすることができない。その結果、口板１０１から離反した枚葉紙２００の紙尻２００ａがスイング１０５のグリッパ１０３の後側に衝突し、その衝突の際に衝突音が発生したり枚葉紙２００に傷が入ったりするおそれがある。口板１０１には給紙板を前方に延長すべく前方に向けて所定長さの口板ガイド１０８が延設されているものの、この口板ガイド１０８の長さには限界があり、口板ガイド１０８から紙尻２００ａが離れた後はその紙尻２００ａはガイドされない。
【０００５】
一般に、印刷機においては比較的長い枚葉紙２００が使用されることが多く、比較的短い枚葉紙２００が使用される頻度は少ない。従って、通常は図６に示すようにスイング１０５の前側の紙尻ガイド１０７で十分であるが、短い枚葉紙２００の使用頻度が多くなると前側の紙尻ガイド１０７のみでは不十分となる。
【０００６】
そこで本発明は、枚葉紙の長さが長い場合でも短い場合でもその紙尻を確実にガイドすることができて紙尻の衝突音や傷の発生を防止できる枚葉印刷機の給紙装置を提供することを課題とする。
【課題を解決するための手段】
【０００７】
本発明は、上記課題を解決すべくなされたものであり、本発明に係る枚葉印刷機の給紙装置は、長さの異なる複数種類の枚葉紙が印刷可能な枚葉印刷機の給紙装置であって、印刷機の胴に向けて枚葉紙を搬送するための給紙板と、該給紙板上を搬送されてきた枚葉紙の前端部を掴むグリッパを有し、その往復動により枚葉紙を一枚ずつ前記胴に渡す紙渡し部と、前記胴の下方に固定配置されて胴に渡された枚葉紙の紙尻がその自重により下方に垂れ下がることを防止する固定ガイドとを備えた枚葉印刷機の給紙装置において、給紙板から離れた枚葉紙の紙尻を下方からガイドするための紙尻ガイドを備え、該紙尻ガイドは、紙渡し部が給紙板に接近したときにグリッパと固定ガイドとの間において紙尻をガイドする第１のガイド部と、紙渡し部が給紙板から離れたときにグリッパと給紙板との間において紙尻をガイドする第２のガイド部とを有していることを特徴とする。
【０００８】
該構成の給紙装置にあっては、紙渡し部が給紙板に接近したときにグリッパと固定ガイドとの間において紙尻をガイドする第１のガイド部を備えているので、紙渡し部が給紙板に接近したときに給紙板から離れた状態にある比較的長い枚葉紙の紙尻は、グリッパと固定ガイドとの間において第１のガイド部によってガイドされることとなる。従って、比較的に長い枚葉紙の紙尻が固定ガイドに衝突することが防止される。また、紙渡し部が給紙板から離れたときにグリッパと給紙板との間において紙尻をガイドする第２のガイド部も有しているので、紙渡し部が給紙板から離れたときに給紙板から離れた状態にある比較的短い枚葉紙の紙尻は、グリッパと給紙板との間において第２のガイド部によってガイドされることとなる。従って、比較的に短い枚葉紙の紙尻が例えば紙渡し部の前側部分に衝突することが防止される。
【０００９】
特に、紙尻ガイドは紙渡し部に設けられて紙渡し部と共に往復動することが好ましい。紙尻ガイドを紙渡し部とは別構成にて設けて紙渡し部と連動するようにしてもよいが、紙渡し部と一体となって往復動する構成とすることにより連動させるための別途の構成、部材が不要となって給紙装置を簡素化できる。
【００１０】
また、第１のガイド部は、固定ガイドとは胴の軸線方向に位置ずれするようにして紙渡し部から前方に向けて延設されて、紙渡し部が給紙板に接近したときに、胴の軸線方向に見て固定ガイドの後端部の直上に位置する部分を有していることが好ましい。固定ガイドの直上に第１のガイド部が部分的に重なるように位置するので、紙渡し部が給紙板に接近したときに、第１のガイド部と固定ガイドとが前後に離間することがなく、枚葉紙の紙尻が固定ガイドの後端部に衝突することが防止され、紙尻は第１のガイド部から固定ガイドへと連続的にガイドされることとなる。
【００１１】
また更に、第２のガイド部は、紙渡し部が給紙板から最も離れた位置にあるときに給紙板からグリッパまでの略全長において紙尻をガイドできるように、紙渡し部から後方に向けて延設されていることが好ましい。紙渡し部が給紙板から最も離れた位置にあるときにグリッパと給紙板との間に最も広い空間が生じることになるが、この空間を第２のガイド部で補完することで給紙板からグリッパまでの略全長に亘って紙尻を第２のガイド部で確実にガイドすることができる。
【発明の効果】
【００１２】
以上のように、本発明に係る枚葉印刷機の給紙装置にあっては、紙尻ガイドが第１のガイド部と第２のガイド部とを有するので、使用する枚葉紙が比較的長い場合には第１のガイド部でその紙尻をガイドし、比較的短い場合には第２のガイド部でその紙尻をガイドすることができるので、枚葉紙の長さが長い場合でも短い場合でも紙尻の衝突による音や傷の発生を防止することができる。
【発明を実施するための最良の形態】
【００１３】
以下、本発明に係る枚葉印刷機の給紙装置の一実施形態について図１乃至図５を参酌しつつ説明する。
本実施形態における給紙装置は、図示しないフィーダボードと口板２とを有する給紙板１と、給紙板１上を搬送されてきた枚葉紙３の前端部を当接させて枚葉紙３の前後の見当合わせを行うための前当て４と、前当て４で見当合わせを行った枚葉紙３の前端部を給紙胴５に渡す紙渡し部としてのスイング６と、給紙胴５の下方に固定配置されて枚葉紙３の紙尻３ａがその自重によって下方に垂れ下がることを防止する固定ガイド７とを備えている。
【００１４】
前記給紙板１は枚葉紙３を一枚ずつ前方に向けて搬送するものであるが、その搬送方法には種々あって、例えば、一枚の枚葉紙３を次の枚葉紙３と重なり合うことなく搬送するものと、前端部所定領域を残して次の枚葉紙３がその下に重なり合うようにして搬送するものとがある。図１乃至図５に示す本実施形態では、次の枚葉紙３と重なることなく搬送するタイプである。
【００１５】
尚、図１乃至図４は何れも使用できる枚葉紙３のうち比較的長い枚葉紙３、より具体的には最大紙（４６０ｍｍ）を使用している場合であって、図５は使用できる枚葉紙３のうち比較的短い枚葉紙３、具体的には最大紙の略半分程度のもの（２１０ｍｍ）を使用している場合を示しており、図１はスイング６が枚葉紙３を給紙胴５に渡すときの状態を、図２は給紙胴５から圧胴８のグリッパ９に枚葉紙３を渡すときであってスイング６が給紙板１に向けて復帰する途中の状態を、図３はスイング６が最も給紙板１に接近したときの状態を、図４はスイング６が図３の状態から僅かに前方に揺動したときの状態を、図５はスイング６が給紙板１から最も前方に離れたときの状態を、それぞれ示している。
【００１６】
また、前当て４は、図示しない軸を中心として前後に揺動する上下方向に伸びるアーム形状であって、その先端部には枚葉紙３の前端部が当接する当接部４ａを有している。尚、前当て４の先端部にはローラ１０が設けられており、給紙板１から枚葉紙３が前方に引き出される際にローラ１０に接触してローラ１０が回転することでスムーズに給紙板１から枚葉紙３が引き出せる。
【００１７】
そして、前当て４で前後の見当合わせを行った後にその枚葉紙３を給紙胴５に渡すためのスイング６は、給紙胴５の軸線方向に伸びる軸６１を中心に前後に揺動自在に構成されている。該スイング６は、基端部が軸６１に軸支されたスイング本体６２と、該スイング本体６２の先端部に設けられて枚葉紙３の前端部を掴むグリッパ６３と、後述する紙尻ガイドとを備えている。
【００１８】
スイング６は、図３に示すようにグリッパ６３が最も給紙板１に接近してグリッパ６３で枚葉紙３の前端部を掴む位置（掴み位置）から、図５に示すようにグリッパ６３が給紙板１から最も離れてグリッパ６３が固定ガイド７の後端部近傍に位置する位置（前端位置）までの間を揺動する。尚、スイング６は、図３に示すような掴み位置においては略起立状態にあり、図５に示すような前端位置においては前方に倒れた傾倒状態にある。尚、本実施形態においては、スイング６は給紙胴５の二回転に一回の割合で給紙胴５に枚葉紙３を渡すため、スイング６のグリッパ６３もスイング６の揺動動作の二回に一回の割合で枚葉紙３を掴む。
【００１９】
また、スイング本体６２の先端部に位置するグリッパ６３は、スイング本体６２に固定された爪台６３ａと給紙胴５の軸線方向に沿った軸６３ｂを中心に揺動することによって爪台６３ａとの間に枚葉紙３を掴む爪６３ｃとを備えている。爪台６３ａは、後方からネジ６４によってスイング本体６２に取り付けられている。尚、スイング本体６２の先端部にはローラ６５が設けられて枚葉紙３が接触すると回転する。
【００２０】
また、固定ガイド７は、ステー７１に取付固定されており、その後端部７ａに向けて斜め下方に伸びており、その後端部７ａは、給紙胴５の中心の略下方位置まで伸びている。
【００２１】
尚、給紙胴５は、その外周面にグリッパ５１を一つ有するいわゆる単胴であるが、その中心からグリッパ５１が枚葉紙３を把持するところまでの半径に比して、グリッパ５１以外の部分の半径は小さくなっている。
【００２２】
ところで、上述したように、スイング６には、給紙板１から前方に離れた枚葉紙３の紙尻３ａを下方からガイドするための紙尻ガイドが設けられている。具体的には、スイング本体６２には、前側にネジ６６により取付固定された前方ガイド部材６７と、後側にネジ６４により固定された後方ガイド部材６８とが設けられている。尚、後方ガイド部材６８の取付用のネジ６４は、爪台６３ａの取付用のネジ６４と共用しても、別のものとしてもよい。
【００２３】
前方ガイド部材６７は、板状の部材であって例えば板金から折り曲げ形成され、スイング６の軸６１近傍から径方向外方に伸びる取付部６７０と、該取付部６７０の先端部から前方に向けて取付部６７０と所定角度を成して折曲により延設された前方ガイド部６７１とからなり、該前方ガイド部６７１が、スイング６が給紙板１に接近したときにスイング６のグリッパ６３と固定ガイド７との間において紙尻３ａをガイドする第１のガイド部として機能する。本実施形態において、前方ガイド部６７１は平坦面であり、また、前方ガイド部６７１と取付部６７０との間の角度αは鈍角に形成されている。また、スイング６のグリッパ６３の爪６３ｃが揺動した際に取付部６７０が干渉しないように設定されている。
【００２４】
更には、図４及び図５に二点鎖線にて示すように、前方ガイド部６７１の前端部６７１ａの円弧状の軌跡２０は、給紙胴５の軸線方向に見た場合、固定ガイド７と交差する。前方ガイド部６７１は固定ガイド７とは給紙胴５の軸線方向に位置ずれした関係にあるが、給紙胴５の軸線方向に見た場合には、スイング６の軸６１から固定ガイド７の後端部７ａまでの距離よりも、スイング６の軸６１から前方ガイド部６７１の前端部６７１ａまでの距離（半径）の方が大きい。従って、図４や図５のように、給紙胴５の軸線方向に見た場合において、前方ガイド部６７１若しくはそれを延長した直線２１は固定ガイド７と交差することとなる。これは即ち、図４や図５のように、スイング６が給紙板１に接近したときに、前方ガイド部６７１は固定ガイド７の後端部７ａの直上に位置する部分を有していることを意味する。従って、枚葉紙３の紙尻３ａは固定ガイド７の後端部７ａに衝突することなく前方ガイド部６７１から固定ガイド７へと連続的にガイドされる。
【００２５】
一方、スイング本体６２の後側に取り付けられた後方ガイド部材６８は、板状の部材であって例えば板金からなり、爪台６３ａに固定される取付部６８０と、該取付部６８０の先端部から後方に向けて延設された後方ガイド部６８１とから構成される。該後方ガイド部６８１は、スイング６が給紙板１から離れたときにグリッパ６３と給紙板１との間において紙尻３ａをガイドする第２のガイド部として機能する。該後方ガイド部６８１と取付部６８０との間の角度βは鋭角である。そして、後方ガイド部６８１は、平坦面ではなく、外側凸に僅かに湾曲している。更に、後方ガイド部６８１の前端部（基端部）における円弧状の軌跡２２が図５に二点鎖線にて示されているが、これからもわかるように、後方ガイド部６８１とスイング６の軸６１との間の距離（半径）は、取付部６８０との境界部であるところの前端部（基端部）において最も大きく、そこから徐々に小さくなり、中途部分から前端部６８１ａ（先端部）までは一定となっている。尚、後方ガイド部６８１とスイング６の軸６１との間の距離は、スイング６が給紙板１に接近した際に後方ガイド部６８１が給紙板１の下方に位置して給紙板１とは干渉しないように設定されている。また、後方ガイド部６８１は、図５に示すようにスイング６が最も給紙板１から離れた状態において、その後端部６８１ａが給紙板１の前端部下方に到達するように長さ設定されており、従って、その際に後方ガイド部６８１はスイング６のグリッパ６３から給紙板１までの間の略全長を塞ぐ。
【００２６】
尚、前方ガイド部６７と後方ガイド部材６８は、何れも給紙胴５の軸線方向に沿って間隔をおいて複数設けられている。
【００２７】
以上のように構成された枚葉印刷機で比較的長い枚葉紙３を使用する場合、スイング６のグリッパ６３が掴んだ枚葉紙３は図１に示すように給紙胴５のグリッパ５１に渡され、その後、給紙胴５の回転に伴って給紙胴５の外周面に巻き付けられながら図２のように圧胴８のグリッパ９へと引き渡される。その間、未だ枚葉紙３の紙尻３ａは給紙板１上に位置している。そして、圧胴８の回転に伴って枚葉紙３が徐々に給紙板１上を前方に移動していき、図３に示すようにスイング６が掴み位置に復帰したタイミングで紙尻３ａは給紙板１から離れることとなる。その瞬間においてスイング６の先端部に設けられたローラ６５に紙尻３ａが接触するのでその紙尻３ａはスムーズに前方に送られるが、その後、スイング６が図４に示すように僅かに前方に回動したとき、枚葉紙３の紙尻３ａは前方ガイド部６７１に当接することとなる。そして、その紙尻３ａは前方ガイド部６７１から固定ガイド７へと連続的にガイドされていくこととなる。このように、比較的長い枚葉紙３を使用する場合において給紙板１から前方に離れた枚葉紙３の紙尻３ａはスイング６の前側に設けた前方ガイド部６７１でガイドされるので、紙尻３ａが固定ガイド７の後端部７ａに衝突して音が発生したり紙尻３ａに傷が生じたりするということがない。特に、給紙胴５の軸線方向に見た場合に、前方ガイド部６７１と固定ガイド７とがオーバーラップする関係にあって前方ガイド部６７１が固定ガイド７の後端部７ａの直上に位置するので、前方ガイド部６７１と固定ガイド７との間に空間が生じず、紙尻３ａが固定ガイド７の後端部７ａに接触することなく前方ガイド部６７１から固定ガイド７へと連続的にガイドされることとなり、紙尻３ａが固定ガイド７の後端部７ａに接触することによる傷の発生等も防止できる。
【００２８】
一方、比較的短い枚葉紙３を使用する場合、図５に示すように、スイング６が最も給紙板１から離れた状態では給紙板１から紙尻３ａが離れた状態となる。しかしながら、その枚葉紙３の紙尻３ａはスイング６の後側に設けた後方ガイド部６８１でガイドされるため、枚葉紙３の紙尻３ａが例えばグリッパ６３の爪台６３ａに衝突して音が出たり枚葉紙３に傷が生じたりするということがない。しかも、スイング６が最も離れた状態で後方ガイド部６８１はグリッパ６３と給紙板１との間の空間を橋渡しするので、枚葉紙３の紙尻３ａが後方ガイド部６８１の後端部６８１ａに接触したりすることもなく、また、給紙板１から前方に伸びる口板ガイドも不要となる。
【００２９】
このように比較的長い枚葉紙３の場合には前方ガイド部６７１が紙尻３ａをガイドし、比較的短い枚葉紙３の場合には後方ガイド部６８１が紙尻３ａをガイドするので、枚葉紙３の長さによらずその紙尻３ａが固定ガイド７やグリッパ６３等に衝突することを防止することができる。
【００３０】
尚、本実施形態においては、前方ガイド部６７１を平坦面としたが、給紙胴５の外周面に沿って上側凹に湾曲した湾曲面としてもよい。但し、前方ガイド部６７１を平坦部とすれば製造が容易であり部品精度が容易に確保されるという利点がある。
【００３１】
また、前方ガイド部６７１が固定ガイド７の後端部７ａの直上に位置するように構成して紙尻３ａを連続的にガイドするように構成したが、前方ガイド部６７１と固定ガイド７との間に所定の空間が生じる構成としてもよい。
【００３２】
更に、スイング６が最も離れた際において後方ガイド部６８１の後端部６８１ａが給紙板１から前方に離間しないように（即ち後端部６８１ａと給紙板１との間に空間が生じないように）構成したが、給紙板１と後方ガイド部６８１の後端部６８１ａとの間に空間が生じる構成としてもよい。その場合には給紙板１に口板ガイドを前方に向けて延設することが好ましい。
【００３３】
また更に、前方ガイド部６７と後方ガイド部材６８の他に紙尻ガイドとして他のガイド部材を取り付けて紙尻３ａをガイドするようにしてもよく、部材数は二つには限定されない。更に、スイング本体６２の前側と後側の双方にそれぞれ前方ガイド部６７と後方ガイド部材６８とを取り付けてそれらの一部を第１のガイド部としての前方ガイド部６７１と第２のガイド部としての後方ガイド部６８１としたが、例えば、一つのガイド部材をスイング本体６２に取り付けて該ガイド部材の二つの部分をそれぞれ第１のガイド部と第２のガイド部としてもよい。無論、第１のガイド部や第２のガイド部をスイング本体６２と別体構成とする以外にスイング本体６２に一体形成したものであってもよい。
【００３４】
更には、スイング６に第１のガイド部と第２のガイド部とを有する紙尻ガイドを設けた構成とする以外にも、スイング６とは別に紙尻ガイドを設けて、スイング６の揺動と連動させてもよい。何れにしても、スイング６が給紙板１に接近したときにスイング６のグリッパ６３と固定ガイド７との間において第１のガイド部が紙尻３ａをガイドし、スイング６が給紙板１から離れたときにスイング６のグリッパ６３と給紙板１との間において第２のガイド部が紙尻３ａをガイドするように構成すればよい。
【００３５】
また、紙渡し部として前後に揺動するスイング６を設けたが、紙渡し部を前後に平行移動する構成としてもよく、紙渡し部の構成についても種々変更可能である。更に、給紙胴５ではなく圧胴８に直接紙渡し部から枚葉紙３を渡す構成であってもよい。
【図面の簡単な説明】
【００３６】
【図１】本発明の一実施形態における枚葉印刷機の給紙装置を示す正面図であって、紙渡し部のグリッパが給紙胴に枚葉紙を渡すタイミングを示す図。
【図２】同給紙装置を示す正面図であって、紙渡し部が給紙板に接近（復帰）する途中の状態を示す図。
【図３】同給紙装置を示す正面図であって、紙渡し部が最も給紙板に接近した状態を示す図。
【図４】同給紙装置を示す正面図であって、紙渡し部が給紙板から僅かに離れて前方に向かう途中の状態を示す図。
【図５】同給紙装置を示す正面図であって、紙渡し部が最も給紙板から離れた状態を示す図。
【図６】従来の給紙装置を示す正面図であって、紙渡し部が最も給紙板に接近した状態を示す図。
【図７】同装置を示す正面図であって、紙渡し部が給紙板から離れた状態を示す図。
【符号の説明】
【００３７】
１…給紙板、２…口板、３…枚葉紙、３ａ…紙尻、４…前当て、５…給紙胴、６…スイング、７…固定ガイド、８…圧胴、９…グリッパ、１０…ローラ、５１…グリッパ、６１…軸、６２…スイング本体、６３…グリッパ、６３ａ…爪台、６３ｂ…軸、６３ｃ…爪、６４…ネジ、６５…ローラ、６６…ネジ、６７…前方ガイド部、６８…後方ガイド部材、７１…ステー、６７０…取付部、６７１…前方ガイド部、６８０…取付部、６８１…後方ガイド部
【図１】
2006290472.tif 000003
【図２】
2006290472.tif 000004
【図３】
2006290472.tif 000005
【図４】
2006290472.tif 000006
【図５】
2006290472.tif 000007
【図６】
2006290472.tif 000008
【図７】
2006290472.tif 000009